(57)【要約】【課題】  必要な書類を簡便且つ迅速にファイリングでき、しかも必要な書類の取り出しや、元の位置に戻すことを簡単にできるようにする。【解決手段】  表表紙１ａと裏表紙１ｂを背表紙１ｃを介して接続し、背表紙１ｃに書類綴じ付け部２を設けているファイル本体１と、このファイル本体１の書類綴じ付け部２に取り付けるダブルクリップ３とで形成する。ダブルクリップ３の本体部５は、書類４を挟む一対の挟持片５ａと、この挟持片５ａの間の連結部分５ｂとが一枚の金属板を折り曲げることで形成されている。この本体部５に、連結部分５ｂを背表紙１ｃに対向させた状態で書類綴じ付け部２に引っ掛けるためのフック６を設ける。このフック６を上から差し込むための差込箇所８を、書類綴じ付け部２に、ダブルクリップ３を横並び状に複数引っ掛け可能になるよう背表紙１ｃの幅方向にわたって形成する。【選択図】      図１
2013119187.tif 000002
【特許請求の範囲】
【請求項１】
表表紙と裏表紙が背表紙を介して接続され、背表紙に書類綴じ付け部が設けられているファイル本体と、このファイル本体の書類綴じ付け部に取り付けられるダブルクリップとで形成されているファイリング用具であって、上記のダブルクリップが、書類を挟む一対の挟持片と、この挟持片の間の連結部分とが一枚の金属板を折り曲げることで形成されている本体部に、上記の連結部分をファイル本体の背表紙に対向させた状態で上記の書類綴じ付け部に引っ掛けるためのフックが設けられ、このフックを上から差し込むための差込箇所が、上記の書類綴じ付け部に、ダブルクリップを横並び状に複数引っ掛け可能になるよう背表紙の幅方向にわたって形成されていることを特徴とするファイリング用具。
【請求項２】
請求項１記載のファイリング用具であって、書類綴じ付け部が、背表紙の内側の上端部に設けられていることを特徴とするファイリング用具。
【請求項３】
請求項１又は２記載のファイリング用具であって、フックを書類綴じ付け部の差込箇所に係合させる段差部が、フック又は差込箇所の何れか一方、或いは両方に設けられていることを特徴とするファイリング用具。
【請求項４】
請求項１乃至３の何れかに記載のファイリング用具に用いるダブルクリップであって、書類を挟む一対の挟持片と、この挟持片の間の連結部分とが一枚の金属板を折り曲げることで形成されている本体部に、上記の連結部分をファイル本体の背表紙に対向させた状態で背表紙に設けられている書類綴じ付け部の差込箇所に引っ掛けるためのフックが設けられていることを特徴とするダブルクリップ。
【発明の詳細な説明】
【技術分野】
【０００１】
本発明は、ダブルクリップを利用したファイリング用具に関し、更に詳しくはファイリング用具及びこれに用いるダブルクリップに関するものである。
【背景技術】
【０００２】
従来、金属の帯板をほぼＷ字形に折り曲げて一対の挟持片と、この挟持片の間の連結部分とで本体部を形成し、この本体部の挟持片の先端に操作摘みを枢着し、この摘みの部分が嵩張らないよう、折り返し可能に形成しているクリップがある。この種のクリップは、ダブルクリップ（ターンクリップ或いはバインダークリップともいう）と呼ばれ、大きさの異なるものが市販されている。
【０００３】
ところで、従来、この種のクリップを利用するファイリング用具としては、例えば特許文献１、同２に記載されているものがある。
【０００４】
特許文献１の従来品は、ファイリング用具の背表紙の内側にクリップ固定棒が、背表紙の縦方向に沿って設けられているものである。この従来品は、ダブルクリップで書類を綴じたとき、本体部の連結部分と書類との間にできる隙間を利用して、ダブルクリップをクリップ固定棒に、その上端から差し込んで書類をファイルする。
【０００５】
また特許文献２の従来品は、ダブルクリップをファイリング用具の棒状のバインダーに差し込んでファイルできるよう形成したアタッチメントに関するものである。この従来品は、同文献の図４に示されるように、ダブルクリップをアタッチメントに取り付け、アタッチメントの孔を棒状のバインダーに差し込んで書類をファイルする。
【０００６】
而して、特許文献１の従来品は、上記の通り、書類と、ダブルクリップの本体部の連結部分との間の隙間を利用してクリップ固定棒に差し込むものであるから、使用者は、この隙間ができるよう、書類を綴じる必要がある。
従って、これによると、書類を綴じる際に煩わしさがあり、使い勝手が悪い、という問題点があった。
【０００７】
また特許文献２の従来品は、上記の通り、先ずアタッチメントにダブルクリップを取り付け、次にこのアタッチメントの孔を棒状のバインダーに嵌め挿して書類をファイルするものである。
従って、これによると、ファイル操作に手間暇がかかり、簡便、迅速にファイリングできない、という問題点があった。
【０００８】
またこの従来品の場合は、必要な書類が奥にファイリングされていると、手前の書類をバインダーから抜き取らなければ取り出すことができず、また元の位置（所定の位置）にファイリングし直すにも手間暇がかかる、という問題点があった。
【先行技術文献】
【特許文献】
【０００９】
【特許文献１】実用新案登録第３００９６３２号公報
【特許文献２】特開２００７−２６１０４０号公報
【発明の概要】
【発明が解決しようとする課題】
【００１０】
本発明は、このような従来品の問題点に鑑み、提案されたものである。
従って本発明の解決しようとする技術的課題は、必要な書類を簡便且つ迅速にファイリングでき、しかも必要な書類の取り出しや、元の位置に戻すことを簡単にできるよう形成した、使い勝手の良いファイリング用具及びこれに用いるダブルクリップを提供することにある。
【課題を解決するための手段】
【００１１】
本発明は、上記の課題を解決するため、次のような技術的手段を採る。
即ち本発明は、図１等に示されるように、表表紙１ａと裏表紙１ｂが背表紙１ｃを介して接続され、背表紙１ｃに書類綴じ付け部２が設けられているファイル本体１と、このファイル本体１の書類綴じ付け部２に取り付けられるダブルクリップ３とで形成されているファイリング用具であって、上記のダブルクリップ３が、書類４を挟む一対の挟持片５ａと、この挟持片５ａの間の連結部分５ｂとが一枚の金属板を折り曲げることで形成されている本体部５に、上記の連結部分５ｂをファイル本体１の背表紙１ｃに対向させた状態で上記の書類綴じ付け部２に引っ掛けるためのフック６が設けられ、このフック６を上から差し込むための差込箇所８が、上記の書類綴じ付け部２に、ダブルクリップ３を横並び状に複数引っ掛け可能になるよう背表紙１ｃの幅方向にわたって形成されていることを特徴とする（請求項１）。
【００１２】
本発明の場合、フック６は、通常、本体部５を形成する金属帯板を連結部分５ｂの上辺等から折り曲げることで形成される。但し、フック６の形成の仕方は、これに限られるものではなく、その他、例えば図１０等に示されるように、別部材を連結部分５ｂや挟持片５ａに後付けすることで形成されるのでも良い。
【００１３】
また本発明の場合、書類綴じ付け部２は、背表紙１ｃの内側に金属材やプラスチック等で形成したり、或いは背表紙１ｃに直接、その幅方向にわたってフック６を引っ掛けるための差込箇所８としての、例えば長孔を形成することで実現される。なお、差込箇所８は、フック６を個別に差し込むことができるよう、仕切られて複数の孔状に形成されているのでも良い。
【００１４】
而して、本発明の場合、書類綴じ付け部２は、背表紙１ｃの内側の上端部に設けられているのが好ましい（請求項２）。
なぜならこれによると、図１に鎖線で示されるように、書類４の側辺の上部をダブルクリップ３で綴じ、このダブルクリップ３を書類綴じ付け部２に引っ掛けることで、書類４の上辺がファイル本体１の上辺から食み出ることを防止でき、ダブルクリップ３の綴じ位置を調節する煩わしさがないからである。
【００１５】
また本発明は、図７等に示されるように、フック６を書類綴じ付け部２の差込箇所８に係合させる段差部９が、フック６又は差込箇所８の何れか一方、或いは両方に設けられているのが好ましい（請求項３）。
なぜならこれによると、ファイル本体１の上部を下向きにしても、フック６が抜け落ちて書類４が脱落することを防止できるからである。段差部９は、例えば凸段差状、突起状、波形状等に形成されることで実現される。
【００１６】
また本発明のファイリング用具に用いるダブルクリップ３としては、図１等に示されるように形成されているものがある。
即ち、この本発明のダブルクリップ３は、書類４を挟む一対の挟持片５ａと、この挟持片５ａの間の連結部分５ｂとが一枚の金属板を折り曲げることで形成されている本体部５に、上記の連結部分５ｂをファイル本体１の背表紙１ｃに対向させた状態で背表紙１ｃに設けられている書類綴じ付け部２の差込箇所８に引っ掛けるためのフック６が設けられていることを特徴とする（請求項４）。
【発明の効果】
【００１７】
本発明のファイリング用具及びダブルクリップは、このように形成されている。
従って、これによれば、ファイル本体の書類綴じ付け部の差込箇所にダブルクリップのフックを差し込む、という簡単な操作で、書類を、簡便且つ迅速にファイリングできる。
また本発明は、書類を持ち上げてフックを差込箇所から抜き取ることで、必要な書類を取り出すことができる。
従って、これによれば、必要な書類を簡単に取り出すことができ、また元の位置に簡単に戻すことができる。
【図面の簡単な説明】
【００１８】
【図１】本発明用具の好適な一実施形態を示す要部斜視図である。
【図２】同上用具の要部斜視図である。
【図３】同上用具の要部平面図である。
【図４】図３のＩＶ−ＩＶ線から見た要部断面図である。
【図５】同上用具の他の実施形態を示す要部斜視図である。
【図６】書類綴じ付け部の他の実施形態を示す要部断面図である。
【図７】ダブルクリップの他の実施形態を示す要部斜視図である。
【図８】図７のダブルクリップの係合状態を示す要部断面図である。
【図９】図７のダブルクリップの他の係合状態を示す要部断面図である。
【図１０】ダブルクリップの他の実施形態を示す要部斜視図である。
【図１１】図１０のダブルクリップの要部平面図である。
【図１２】図１０のダブルクリップの側面図である。
【発明を実施するための形態】
【００１９】
以下、本発明を実施するための好適な一実施形態を、添付図面に従って説明する。
【００２０】
本発明のファイリング用具は、ファイル本体１と、このファイル本体１の書類綴じ付け部２に取り付けられるダブルクリップ３とで形成されている。ファイル本体１は、表表紙１ａと裏表紙１ｂが背表紙１ｃを介して接続されている。書類綴じ付け部２は、背表紙１ｃに設けられている。ファイル本体１及びダブルクリップ３の大きさは、A４、B５等の書類４のサイズに対応して適宜選定されるので良い。
【００２１】
上記のダブルクリップ３は、金属製の本体部５にフック６が設けられている。本体部５は、書類４を挟む一対の挟持片５ａと、この挟持片５ａの間の連結部分５ｂとが一枚の金属板を折り曲げることで形成されている。またフック６は、上記の連結部分５ｂをファイル本体１の背表紙１ｃに対向させた状態で上記の書類綴じ付け部２に引っ掛け可能になるよう形成されている。
【００２２】
この実施形態の場合、フック６は、本体部５の折り曲げ形成時に、連結部分５ｂの上辺から外側に向けて鉤形に金属板の一部が折り曲げられることで形成されている。
なお、７は、操作摘みである。この操作摘み７は、嵩張らないよう、挟持片５ａの先端の枢着部５ｃに折り返し可能に取り付けられている。
【００２３】
また上記の書類綴じ付け部２は、この実施形態では図２等に示されるように、背表紙１ｃの内側の上端部と、下端部の二箇所に設けられている。そして、本発明は、この書類綴じ付け部２に、フック６を上から差し込むための差込箇所８が、ダブルクリップ３を横並び状に複数引っ掛け可能になるよう、背表紙１ｃの幅方向にわたって形成されている。
【００２４】
また書類綴じ付け部２は、この実施形態では金属製の板材で形成され、ファイル本体１の内側になる垂直面２ａに、この垂直面２ａと対向するよう前板２ｂが設けられている。上記の差込箇所８は、この前板２ｂと垂直面２ａとが作る隙間で形成されている。この実施形態の場合、この差込箇所８は、図１、図３等に示されるように、ファイル本体１を上から見て背表紙１ｃの幅方向にわたって一連に長いスリット状に形成されている。
【００２５】
次に、この実施形態に係る本発明品の使用例を説明する。
【００２６】
使用者は、先ずダブルクリップ３で書類４を綴じる。この場合、この実施形態では書類綴じ付け部２が背表紙１ｃの内側の上下の二箇所に設けられているから、使用者は書類４の側辺の上端部と下端部にダブルクリップ３を取り付ける（図４参照）。
【００２７】
次に、この状態で使用者は、図１等に示されるように、ダブルクリップ３のフック６を、書類綴じ付け部２の差込箇所８に上から差し込み、ダブルクリップ３を書類綴じ付け部２に引っ掛けて書類４をファイルする。同様にして他の書類４も引っ掛け、横並び状にファイルする。
【００２８】
またファイルした書類４を取り出す場合は、任意の書類４を持ち上げ、ダブルクリップ３のフック６を差込箇所８から抜き取って行う。本発明品は、ダブルクリップ３を書類綴じ付け部２に引っ掛けてファイルする構造のため、どの位置の書類４でも、他の書類４を動かすことなく、簡単に抜き取ったり、ファイルすることができる。
【００２９】
以上の処において、上例では書類綴じ付け部２が背表紙１ｃの上端部と下端部に設けられているが、本発明の場合、書類綴じ付け部２の取付位置や個数は、これに限定されるものではない。
【００３０】
即ち、書類綴じ付け部２は、例えば背表紙１ｃの上端部だけに設けられ、この書類綴じ付け部２を利用して一箇所だけで書類４を懸吊状にファイルしたり、或いは図５に示されるように、書類綴じ付け部２が高さを違えて多段状に複数設けられているのでも良い。
書類綴じ付け部２が高さを違えて設けられる場合は、書類４がファイル本体１の上辺、下辺から食み出ることがないよう、ダブルクリップ３の取付位置を調節して使用する。
【００３１】
また本発明の場合、書類綴じ付け部２の差込箇所８は、図６に示されるように、前板２ｂの上端部２ｂ１が背表紙１ｃの内側前方に傾斜され、差込箇所８の入り口が広くなるよう形成されているのが良い。
なぜならこれによると、フック６の下端を上端部２ｂ１にあてがって滑らせながら差し込むことができ、差し込み操作を楽にできるからである。
【００３２】
またダブルクリップ３は、図７〜図９に示されるように、フック６を書類綴じ付け部２の差込箇所８に係合させる段差部９が、フック６又は差込箇所８の何れか一方、或いは両方に設けられているのでも良い。段差部９は、この実施形態ではフック６の幅方向の全長にわたって縦断面がほぼ半円形の凸段差状に、フック６の一部が折り曲げられることで形成されている。なお、この段差部９は、その他例えば縦断面がほぼ半球形の突起状に形成されるのでも良い。
【００３３】
而して、この実施形態の場合は、図８に示されるように、差し込み時に、フック６の段差部９が書類綴じ付け部２の前板２ｂを押し広げ、フック６が完全に差し込まれると、前板２ｂの復元力でフック６が押し付けられて抜け落ちが防止されるものである。また図９に示される実施形態は、前板２ｂに、フック６の段差部９と係合する凹段差状の被係合部２ｂ２が形成されている例である。この場合は、係合状態がしっかりするため、ダブルクリップ３の抜け落ちをより確実に防止できる。
【００３４】
また本発明の場合は、フック６の形状や形成の仕方は、任意である。例えば、図１０〜図１２に示されるように、本発明は、フック６が太い針金状に形成され、ダブルクリップ３の本体部５の連結部分５ｂの中央に、ロウ付け等の手段で設けられているのでも良い。
この場合は、連結部分５ｂの板バネ性能を低下させることなく、書類４を書類綴じ付け部２に引っ掛けてファイルできる、という利点がある。
【符号の説明】
【００３５】
１      ファイル本体
１ａ    表表紙
１ｂ    裏表紙
１ｃ    背表紙
２      書類綴じ付け部
３      ダブルクリップ
４      書類
５      本体部
５ａ    挟持片
５ｂ    連結部分
６      フック
７      操作摘み
８      差込箇所
【図１】
2013119187.tif 000003
【図２】
2013119187.tif 000004
【図３】
2013119187.tif 000005
【図４】
2013119187.tif 000006
【図５】
2013119187.tif 000007
【図６】
2013119187.tif 000008
【図７】
2013119187.tif 000009
【図８】
2013119187.tif 000010
【図９】
2013119187.tif 000011
【図１０】
2013119187.tif 000012
【図１１】
2013119187.tif 000013
【図１２】
2013119187.tif 000014
【手続補正書】
【提出日】平成24年3月10日(2012.3.10)
【手続補正１】
【補正対象書類名】特許請求の範囲
【補正対象項目名】全文
【補正方法】変更
【補正の内容】
【特許請求の範囲】
【請求項１】
表表紙と裏表紙が背表紙を介して接続され、背表紙に書類綴じ付け部が設けられているファイル本体と、このファイル本体の書類綴じ付け部に取り付けられるダブルクリップとで形成されているファイリング用具であって、上記のダブルクリップが、書類を挟む一対の挟持片と、この挟持片の間の連結部分とが一枚の金属板を折り曲げることで形成されている本体部に、上記の連結部分をファイル本体の背表紙に対向させた状態で上記の書類綴じ付け部に引っ掛けるためのフックが設けられ、このフックを上から差し込むための差込箇所が、上記の書類綴じ付け部に、ダブルクリップを横並び状に複数引っ掛け可能になるよう背表紙の幅方向にわたって形成され、上記の書類綴じ付け部が、ファイル本体の内側になる垂直面に、この垂直面と対向する前板を備えて形成され、この前板の上端部が背表紙の内側前方に傾斜され、またダブルクリップのフックを書類綴じ付け部の差込箇所に係合させる段差部が、フック又は差込箇所の何れか一方、或いは両方に設けられ、このフックが太い針金状に形成され、本体部の連結部分の幅方向の中央に設けられていることを特徴とするファイリング用具。
【請求項２】
請求項１記載のファイリング用具であって、書類綴じ付け部が、背表紙の内側の上端部に設けられ、フックを上から差し込むための差込箇所が、ファイル本体を上から見て背表紙の幅方向にわたって一連に長いスリット状に形成されていることを特徴とするファイリング用具。
【請求項３】
請求項１又は２記載のファイリング用具に用いるダブルクリップであって、書類を挟む一対の挟持片と、この挟持片の間の連結部分とが一枚の金属板を折り曲げることで形成されている本体部に、上記の連結部分をファイル本体の背表紙に対向させた状態で上記の書類綴じ付け部に引っ掛けるためのフックが設けられ、このフックを書類綴じ付け部の差込箇所に係合させる段差部がフックに設けられ、このフックが太い針金状に形成され、本体部の連結部分の幅方向の中央に設けられていることを特徴とするダブルクリップ。
【手続補正２】
【補正対象書類名】明細書
【補正対象項目名】全文
【補正方法】変更
【補正の内容】
【発明の詳細な説明】
【技術分野】
【０００１】
本発明は、ダブルクリップを利用したファイリング用具に関し、更に詳しくはファイリング用具及びこれに用いるダブルクリップに関するものである。
【背景技術】
【０００２】
従来、金属の帯板をほぼＷ字形に折り曲げて一対の挟持片と、この挟持片の間の連結部分とで本体部を形成し、この本体部の挟持片の先端に操作摘みを枢着し、この摘みの部分が嵩張らないよう、折り返し可能に形成しているクリップがある。この種のクリップは、ダブルクリップ（ターンクリップ或いはバインダークリップともいう）と呼ばれ、大きさの異なるものが市販されている。
【０００３】
ところで、従来、この種のクリップを利用するファイリング用具としては、例えば特許文献１、同２に記載されているものがある。
【０００４】
特許文献１の従来品は、ファイリング用具の背表紙の内側にクリップ固定棒が、背表紙の縦方向に沿って設けられているものである。この従来品は、ダブルクリップで書類を綴じたとき、本体部の連結部分と書類との間にできる隙間を利用して、ダブルクリップをクリップ固定棒に、その上端から差し込んで書類をファイルする。
【０００５】
また特許文献２の従来品は、ダブルクリップをファイリング用具の棒状のバインダーに差し込んでファイルできるよう形成したアタッチメントに関するものである。この従来品は、同文献の図４に示されるように、ダブルクリップをアタッチメントに取り付け、アタッチメントの孔を棒状のバインダーに差し込んで書類をファイルする。
【０００６】
而して、特許文献１の従来品は、上記の通り、書類と、ダブルクリップの本体部の連結部分との間の隙間を利用してクリップ固定棒に差し込むものであるから、使用者は、この隙間ができるよう、書類を綴じる必要がある。
従って、これによると、書類を綴じる際に煩わしさがあり、使い勝手が悪い、という問題点があった。
【０００７】
また特許文献２の従来品は、上記の通り、先ずアタッチメントにダブルクリップを取り付け、次にこのアタッチメントの孔を棒状のバインダーに嵌め挿して書類をファイルするものである。
従って、これによると、ファイル操作に手間暇がかかり、簡便、迅速にファイリングできない、という問題点があった。
【０００８】
またこの従来品の場合は、必要な書類が奥にファイリングされていると、手前の書類をバインダーから抜き取らなければ取り出すことができず、また元の位置（所定の位置）にファイリングし直すにも手間暇がかかる、という問題点があった。
【先行技術文献】
【特許文献】
【０００９】
【特許文献１】実用新案登録第３００９６３２号公報
【特許文献２】特開２００７−２６１０４０号公報
【発明の概要】
【発明が解決しようとする課題】
【００１０】
本発明は、このような従来品の問題点に鑑み、提案されたものである。
従って本発明の解決しようとする技術的課題は、必要な書類を簡便且つ迅速にファイリングでき、しかも必要な書類の取り出しや、元の位置に戻すことを簡単にできるよう形成した、使い勝手の良いファイリング用具及びこれに用いるダブルクリップを提供することにある。
【課題を解決するための手段】
【００１１】
本発明は、上記の課題を解決するため、次のような技術的手段を採る。
即ち本発明は、図１、図６、図１０等に示されるように、表表紙１ａと裏表紙１ｂが背表紙１ｃを介して接続され、背表紙１ｃに書類綴じ付け部２が設けられているファイル本体１と、このファイル本体１の書類綴じ付け部２に取り付けられるダブルクリップ３とで形成されているファイリング用具であって、上記のダブルクリップ３が、書類４を挟む一対の挟持片５ａと、この挟持片５ａの間の連結部分５ｂとが一枚の金属板を折り曲げることで形成されている本体部５に、上記の連結部分５ｂをファイル本体１の背表紙１ｃに対向させた状態で上記の書類綴じ付け部２に引っ掛けるためのフック６が設けられ、このフック６を上から差し込むための差込箇所８が、上記の書類綴じ付け部２に、ダブルクリップ３を横並び状に複数引っ掛け可能になるよう背表紙１ｃの幅方向にわたって形成され、上記の書類綴じ付け部２が、ファイル本体１の内側になる垂直面２ａに、この垂直面２ａと対向する前板２ｂを備えて形成され、この前板２ｂの上端部２ｂ１が背表紙１ｃの内側前方に傾斜され、またダブルクリップ３のフック６を書類綴じ付け部２の差込箇所８に係合させる段差部９が、フック６又は差込箇所８の何れか一方、或いは両方に設けられ、このフック６が太い針金状に形成され、本体部５の連結部分５ｂの幅方向の中央に設けられていることを特徴とする（請求項１）。
【００１２】
また本発明の場合、書類綴じ付け部２は、背表紙１ｃの内側に金属材やプラスチック等で形成することで実現される。なお、差込箇所８は、フック６を個別に差し込むことができるよう、仕切られて複数の孔状に形成されているのでも良い。段差部９は、例えば凸段差状、突起状、波形状等に形成されることで実現される。
【００１３】
而して、本発明の場合、書類綴じ付け部２は、背表紙１ｃの内側の上端部に設けられ、フック６を上から差し込むための差込箇所８が、ファイル本体１を上から見て背表紙１ｃの幅方向にわたって一連に長いスリット状に形成されているのが好ましい（請求項２）。
なぜならこれによると、図１に鎖線で示されるように、書類４の側辺の上部をダブルクリップ３で綴じ、このダブルクリップ３を書類綴じ付け部２に引っ掛けることで、書類４の上辺がファイル本体１の上辺から食み出ることを防止でき、ダブルクリップ３の綴じ位置を調節する煩わしさがないからである。
【００１４】
また本発明のファイリング用具に用いるダブルクリップ３としては、図１０等に示されるように形成されているものがある。
即ち、この本発明のダブルクリップ３は、書類４を挟む一対の挟持片５ａと、この挟持片５ａの間の連結部分５ｂとが一枚の金属板を折り曲げることで形成されている本体部５に、上記の連結部分５ｂをファイル本体１の背表紙１ｃに対向させた状態で背表紙１ｃに設けられている書類綴じ付け部２の差込箇所８に引っ掛けるためのフック６が設けられ、このフック６を書類綴じ付け部２の差込箇所８に係合させる段差部９がフック６に設けられ、このフック６が太い針金状に形成され、本体部５の連結部分５ｂの幅方向の中央に設けられていることを特徴とする（請求項３）。
【発明の効果】
【００１５】
本発明のファイリング用具及びダブルクリップは、このように形成されている。
従って、これによれば、ファイル本体の書類綴じ付け部の差込箇所にダブルクリップのフックを差し込む、という簡単な操作で、書類を、簡便且つ迅速にファイリングできる。
また本発明は、書類を持ち上げてフックを差込箇所から抜き取ることで、必要な書類を取り出すことができる。
従って、これによれば、必要な書類を簡単に取り出すことができ、また元の位置に簡単に戻すことができる。
【００１６】
また本発明は、書類綴じ付け部を形成する前板の上端部が背表紙の内側前方に傾斜され、差込箇所の入り口が広くなるよう形成されている。
従ってこれによると、フックの下端を前板の上端部にあてがって滑らせながら差し込むことができ、差し込み操作を楽にできる。
【００１７】
また本発明は、フックを書類綴じ付け部の差込箇所に段差部で係合させることができるから、これによればファイル本体の上部を下向きにしても、フックが抜け落ちて書類が脱落することを防止できる。
【００１８】
また本発明は、ダブルクリップのフックが太い針金状に形成され、本体部の連結部分の幅方向の中央に設けられている。
従ってこれによると、連結部分の板バネ性能を低下させることなく、書類を書類綴じ付け部に引っ掛けてファイルできる。
【図面の簡単な説明】
【００１９】
【図１】本発明用具の好適な一実施形態を示す要部斜視図である。
【図２】同上用具の要部斜視図である。
【図３】同上用具の要部平面図である。
【図４】図３のＩＶ−ＩＶ線から見た要部断面図である。
【図５】同上用具の他の実施形態を示す要部斜視図である。
【図６】書類綴じ付け部の他の実施形態を示す要部断面図である。
【図７】ダブルクリップの他の実施形態を示す要部斜視図である。
【図８】図７のダブルクリップの係合状態を示す要部断面図である。
【図９】図７のダブルクリップの他の係合状態を示す要部断面図である。
【図１０】ダブルクリップの他の実施形態を示す要部斜視図である。
【図１１】図１０のダブルクリップの要部平面図である。
【図１２】図１０のダブルクリップの側面図である。
【発明を実施するための形態】
【００２０】
以下、本発明を実施するための好適な一実施形態を、添付図面に従って説明する。
【００２１】
本発明のファイリング用具は、ファイル本体１と、このファイル本体１の書類綴じ付け部２に取り付けられるダブルクリップ３とで形成されている。ファイル本体１は、表表紙１ａと裏表紙１ｂが背表紙１ｃを介して接続されている。書類綴じ付け部２は、背表紙１ｃに設けられている。ファイル本体１及びダブルクリップ３の大きさは、Ａ４、Ｂ５等の書類４のサイズに対応して適宜選定されるので良い。
【００２２】
上記のダブルクリップ３は、金属製の本体部５にフック６が設けられている。本体部５は、書類４を挟む一対の挟持片５ａと、この挟持片５ａの間の連結部分５ｂとが一枚の金属板を折り曲げることで形成されている。またフック６は、上記の連結部分５ｂをファイル本体１の背表紙１ｃに対向させた状態で上記の書類綴じ付け部２に引っ掛け可能になるよう形成されている。
【００２３】
またダブルクリップ３は、図７〜図９に示されるように、フック６を書類綴じ付け部２の差込箇所８に係合させる段差部９が、フック６又は差込箇所８の何れか一方、或いは両方に設けられている。段差部９は、この実施形態ではフック６の幅方向の全長にわたって縦断面がほぼ半円形の凸段差状に、フック６の一部が折り曲げられることで形成されている。なお、この段差部９は、その他例えば縦断面がほぼ半球形の突起状に形成されるのでも良い。
【００２４】
また本発明の場合、フック６は、図１０〜図１２に示されるように、太い針金状に形成され、ダブルクリップ３の本体部５の連結部分５ｂの中央に、ロウ付け等の手段で設けられている。
なお、７は、操作摘みである。この操作摘み７は、嵩張らないよう、挟持片５ａの先端の枢着部５ｃに折り返し可能に取り付けられている。
【００２５】
また上記の書類綴じ付け部２は、この実施形態では図２等に示されるように、背表紙１ｃの内側の上端部と、下端部の二箇所に設けられている。そして、本発明は、この書類綴じ付け部２に、フック６を上から差し込むための差込箇所８が、ダブルクリップ３を横並び状に複数引っ掛け可能になるよう、背表紙１ｃの幅方向にわたって形成されている。
【００２６】
また書類綴じ付け部２は、この実施形態では金属製の板材で形成され、ファイル本体１の内側になる垂直面２ａに、この垂直面２ａと対向するよう前板２ｂが設けられている。上記の差込箇所８は、この前板２ｂと垂直面２ａとが作る隙間で形成されている。この実施形態の場合、この差込箇所８は、図１、図３等に示されるように、ファイル本体１を上から見て背表紙１ｃの幅方向にわたって一連に長いスリット状に形成されている。
【００２７】
また本発明の場合、書類綴じ付け部２の差込箇所８は、図６に示されるように、前板２ｂの上端部２ｂ１が背表紙１ｃの内側前方に傾斜され、差込箇所８の入り口が広くなるよう形成されている。
【００２８】
次に、この実施形態に係る本発明品の使用例を説明する。
【００２９】
使用者は、先ずダブルクリップ３で書類４を綴じる。この場合、この実施形態では書類綴じ付け部２が背表紙１ｃの内側の上下の二箇所に設けられているから、使用者は書類４の側辺の上端部と下端部にダブルクリップ３を取り付ける（図４参照）。
【００３０】
次に、この状態で使用者は、図１等に示されるように、ダブルクリップ３のフック６を、書類綴じ付け部２の差込箇所８に上から差し込み、ダブルクリップ３を書類綴じ付け部２に引っ掛けて書類４をファイルする。同様にして他の書類４も引っ掛け、横並び状にファイルする。
【００３１】
而して、本発明の場合は、図８に示されるように、差し込み時に、フック６の段差部９が書類綴じ付け部２の前板２ｂを押し広げ、フック６が完全に差し込まれると、前板２ｂの復元力でフック６が押し付けられて抜け落ちが防止されるものである。また図９に示される実施形態は、前板２ｂに、フック６の段差部９と係合する凹段差状の被係合部２ｂ２が形成されている例である。この場合は、係合状態がしっかりするため、ダブルクリップ３の抜け落ちをより確実に防止できる。
【００３２】
またファイルした書類４を取り出す場合は、任意の書類４を持ち上げ、ダブルクリップ３のフック６を差込箇所８から抜き取って行う。本発明品は、ダブルクリップ３を書類綴じ付け部２に引っ掛けてファイルする構造のため、どの位置の書類４でも、他の書類４を動かすことなく、簡単に抜き取ったり、ファイルすることができる。
【００３３】
以上の処において、上例では書類綴じ付け部２が背表紙１ｃの上端部と下端部に設けられているが、本発明の場合、書類綴じ付け部２の取付位置や個数は、これに限定されるものではない。
【００３４】
即ち、書類綴じ付け部２は、例えば背表紙１ｃの上端部だけに設けられ、この書類綴じ付け部２を利用して一箇所だけで書類４を懸吊状にファイルしたり、或いは図５に示されるように、書類綴じ付け部２が高さを違えて多段状に複数設けられているのでも良い。
書類綴じ付け部２が高さを違えて設けられる場合は、書類４がファイル本体１の上辺、下辺から食み出ることがないよう、ダブルクリップ３の取付位置を調節して使用する。
【符号の説明】
【００３５】
１      ファイル本体
１ａ    表表紙
１ｂ    裏表紙
１ｃ    背表紙
２      書類綴じ付け部
２ａ 垂直面
２ｂ 前板
２ｂ１ 上端部
３      ダブルクリップ
４      書類
５      本体部
５ａ    挟持片
５ｂ    連結部分
６      フック
７      操作摘み
８      差込箇所
９ 段差部